(57)【要約】【課題】配電盤の二次側端子に接地線などをつないで接地をすると、一次側端子が充電部であるので、接地線をつなぎに行く際に一次側端子への接近を充分に防止出来ないという課題がある。【解決手段】配電盤に収納されている引出形機器を配電盤から引き出した後に前記配電盤内にできる空間に挿入される作業台車であって、配電盤の固定側端子と接続される可動接触子を備えた枠体と、枠体の前部に設けられた正面カバー体と、可動接触子がつながる可動導体を短絡する短絡導体と、短絡導体と枠体のフレームに固定されている接地シューとの間をつないで接地する接地線体と、枠体に取り付けられ、配電盤の固定側端子間に挿入される仕切り板とを設けたものである。【選択図】図２
2011078273.tif 000002
【特許請求の範囲】
【請求項１】
配電盤に収納されている引出形機器を前記配電盤から引き出した後に前記配電盤内にできる空間に挿入される作業台車であって、前記配電盤の固定端子と接続される可動接触子を備えた枠体と、前記可動接触子がつながる可動導体を短絡する短絡導体と、前記短絡導体と前記枠体のフレームに固定されている接地シューとの間をつないで接地する接地線体と、前記枠体に取り付けられ、前記配電盤の固定側端子間に挿入される仕切り板とを備えたことを特徴とする配電盤の作業台車。
【請求項２】
配電盤に収納されている引出形機器を前記配電盤から引き出した後に前記配電盤内にできる空間に挿入される作業台車であって、前記配電盤の固定端子と接続される可動接触子を備えた枠体と、前記枠体の前部に設けられた正面カバー体と、前記可動接触子がつながる可動導体を短絡する短絡導体と、前記枠体に取り付けられ、前記配電盤の固定側端子間に挿入される仕切り板と、一方側が前記短絡導体に接続され、他方側端部が前記正面カバー体の前面側に突出して配置された接地線体とを備えたことを特徴とする配電盤の作業台車。
【請求項３】
前記接地線体は、電線または導体により構成されたことを特徴とする請求項１または２記載の配電盤の作業台車。
【請求項４】
請求項１ないし３のいずれか１項における前記作業台車と前記引出形遮断器とを入れ替えることができることを特徴とする配電盤。
【発明の詳細な説明】
【技術分野】
【０００１】
この発明は、例えば引出形遮断器のような引出形機器を収納してある配電盤の内部の主回路部（外線ケーブル部）点検や改修などの作業を実施するときに、それにつながる主回路導体を確実に接地することができ、点検用具や作業用具などが充電部への接近を防止して配電盤内での作業を実施することができる配電盤の作業台車に関するものである。
【背景技術】
【０００２】
例えば引出形遮断器のような引出形機器が収納された配電盤において、点検や改修を行うときには主回路が充電させていないことを確認する検電作業が行われる。充電されていないことが確認されるとその部位を確実に接地し、点検や改修などの作業を行う。
【０００３】
ところで、配電盤内に仕切りがないＪＥＭ１４２５（日本電機工業会規格の「金属閉鎖形スイッチギヤ及びコントロールギヤ」）の級別であるＣＷ級（キュービクル形スイッチギヤ及びコントロールギヤ）の充電部において、金属閉鎖箱に主回路が収納されているが、遮断器コンパーメント（遮断器を収納する領域）や母線コンパーメント（母線を収納する領域）などのコンパーメントに対して、仕切り板が要求されていないものがある。
【０００４】
図７ないし図９は、従来の配電盤に引出形遮断器が収納されている構成を示す正面図（正面扉を開いた状態）、正面内部構成図及び側面断面図を示している。
これら各図において、３１は配電盤であり、１面に対して１回路、つまり引出形機器である引出形遮断器５０が１台搭載されており、外線ケーブル３８が引き込まれている。配電盤３１の上部にある母線３２は支持碍子３３に支えられており、配電盤３１の幅方向に配置され、配電盤３１に隣接する盤内の母線３２と接続される。分岐導体３４の片側は母線３２に接続され、もう片側は引出形遮断器５０が挿入される固定枠４０の一次側固定端子４１Ａに接続されている。一次側固定端子４１Ａ及び二次側固定端子４１Ｂは固定枠４０の絶縁物４２に固定されている。固定枠４０の二次側固定端子４１Ｂに接続する主回路導体３５は計器用変流器４３を通り、外線ケーブル接続部３６までつながっている。
【０００５】
引出形遮断器５０は、引出形遮断器５０の内部接点に接続された一対の可動接触子５１Ａ、５１Ｂを備えている。運転位置の状態では、可動接触子５１Ａ、５１Ｂは固定枠４０の一次側固定端子４１Ａ及び二次側固定端子４１Ｂと接触し、母線３２から外線ケーブル３８まで通電状態となる。なお、接地導体４４は配電盤３１の例えば外線ケーブル接続部３６での点検や作業を実施する際に、その部分を確実に接地するためのものである。
【０００６】
このような配電盤３１において、例えば、外線ケーブル接続部３６のボルトの増し締め、あるいは外線ケーブル３８の接続や張替え作業を行う際、本来であれば配列された配電盤全体を停電して作業を行わなければならないが、重要な負荷が接続されているなどでどうしても他の配電盤まで停電をとることができない場合がある。図７ないし図９に示す通り、１面に１回路収納することにより隣接する配電盤とは仕切り板を設けることで仕切ることができる。ただし、配電盤３１内はそうではない。
【０００７】
点検や作業の必要な配電盤３１の引出形遮断器５０の内部接点を「切」とし、盤外へ引き出すことにより、外線ケーブル接続部３６は充電部から確実に切り離されている。ただし、盤内に仕切り板を要求されていないＣＷ級については、充電部に接近あるいは接触する可能性が発生する。
【０００８】
また、通常、金属閉鎖形スイッチギヤは、主回路の母線、接続導体、接続部に絶縁被覆が施されているため、主回路では接地することができなく、遮断器を引き出し、断路部を接地している。
【０００９】
図１０は特開平７−２３９１５号公報に示された構成であり、接地に際して、スイッチギヤから遮断器を引き出し、接地装置を挿入し、上下動機構２３のハンドル２４を操作し、取付台２１を上方に移動させて上部のストッパ３０に当接し、上部位置、即ち上部固定断路部４の位置に可動断路部２９を停止させ、上部固定断路部４に可動断路部２９を接触するとともに、接地体に接地片１５を接触させ、上部固定断路部４を接地線１６，７を介して接地する。
【先行技術文献】
【特許文献】
【００１０】
【特許文献１】特開平７−２３９１５号公報
【発明の概要】
【発明が解決しようとする課題】
【００１１】
上述したような配電盤３１の例えば外線ケーブル接続部３６での点検や作業を実施する際に、その部分が確実に接地されている必要がある。外線ケーブル接続部３６において、接地線（図示せず）などをつないで接地をすると、接地線があることで点検や作業がし難く、その接地線が作業中に外れてしまう可能性もある。また、固定枠４０の二次側固定端子４１Ｂに接地線などをつないで接地をすると、一次側固定端子４１Ａが充電部であるので、接地線をつなぎに行く際に一次側固定端子４１Ａへの接近を充分に防止出来ていないという課題が有った。また、通常クリップなどをつないで接地をとっていると作業中にクリップが外れ、接地されていない状態になる可能性もあるという課題も有った。
【００１２】
この発明は上記のような課題を解決するためになされたものであり、信頼性の高い配電盤の作業台車および配電盤を提供することを目的とする。
【課題を解決するための手段】
【００１３】
この発明に係わる配電盤の作業台車は、配電盤に収納されている引出機器を配電盤から引き出した後に配電盤内にできる空間に挿入される作業台車であって、配電盤の固定端子と接続される可動接触子を備えた枠体と、枠体の前部に設けられた正面カバー体と、可動接触子がつながる可動導体を短絡する短絡導体と、短絡導体と枠体のフレームに固定されている接地シューとの間をつないで接地する接地線体と、枠体に取り付けられ、配電盤の固定側端子間に挿入される仕切り板とを設けたものである。
【００１４】
また、この発明に係わる配電盤の作業台車は、配電盤に収納されている引出機器を配電盤から引き出した後に配電盤内にできる空間に挿入される作業台車であって、配電盤の固定端子と接続される可動接触子を備えた枠体と、前記枠体の前部に設けられた正面カバー体と、前記可動接触子がつながる可動導体を短絡する短絡導体と、前記枠体に取り付けられ、前記配電盤の固定側端子間に挿入される仕切り板と、一方側が前記短絡導体に接続され、他方側端部が前記正面カバー体の前面側に突出して配置された接地線体とを設けたものである。
【発明の効果】
【００１５】
この発明に係わる配電盤の作業台車および配電盤は、点検や改修などの作業を確実にかつ点検用具や作業用具が充電部への接近を防止して実施することができる配電盤の作業台車および配電盤を得ることができる。
【図面の簡単な説明】
【００１６】
【図１】この発明の実施の形態１に係わる配電盤の作業台車を示す正面図である。
【図２】この発明の実施の形態１に係わる配電盤の作業台車を断面で示す側面図である。
【図３】この発明の実施の形態１に係わる配電盤の作業台車の第１移動位置に挿入された状態を断面で示す側面図である。
【図４】この発明の実施の形態１に係わる配電盤の作業台車の第２移動位置に挿入された状態を断面で示す側面図である。
【図５】この発明の実施の形態２に係わる配電盤の作業台車を示す正面図である。
【図６】この発明の実施の形態２に係わる配電盤の作業台車を断面で示す側面図である。
【００１７】
【図７】従来の引出形機器が収納されている配電盤を示す正面図である。
【図８】従来の引出形機器が収納されている配電盤の内部を示す正面図である。
【図９】従来の引出形機器が収納されている配電盤を断面で示す側面図である。
【図１０】従来の配電盤の接地装置を示す側面図である。
【発明を実施するための形態】
【００１８】
実施の形態１.
以下、この発明の実施の形態１を図１ないし図４に基づいて説明する。図１はこの発明の実施の形態１に係わる配電盤の作業台車を示す正面図である。図２はこの発明の実施の形態１に係わる配電盤の作業台車を断面で示す側面図である。図３はこの発明の実施の形態１に係わる配電盤の作業台車の第１移動位置に挿入された状態を断面で示す側面図である。図４はこの発明の実施の形態１に係わる配電盤の作業台車の第２移動位置に挿入された状態を断面で示す側面図である。
【００１９】
これら各図において、６０は配電盤３１に収納されている引出機器である引出形遮断器５０を配電盤３１から引き出した後に配電盤３１内にできる空間に挿入される作業台車であり、次のように構成されている。配電盤３１の固定端子の例えば二次側固定端子１０３Ｂと接続される可動接触子６２を備えた枠体６１と、枠体６１の前部に設けられた正面カバー体６３と、可動接触子６２がつながる可動導体６４を短絡する短絡導体６５と、短絡導体６５と枠体６１のフレーム６６に固定されている接地シュー６７との間をつないで接地する例えば電線または導体から構成される接地線体６８と、枠体６１に取り付けられ、配電盤３１の一次側固定端子１０３Ａと二次側固定端子１０３Ｂと間に挿入される仕切り板６９とにより基本的に構成されている。可動接触子６２がつながる可動導体６４は碍子７０により支持されている。
【００２０】
なお、枠体６１のフレーム６６に固定されている接地シュー６７が配電盤３１の固定枠１０の床板１４に面に接触することで、フレーム６６と短絡導体６５の両方を接地がとれる構造になっている。また、枠体６１に取り付けられた仕切り板６９は、可動接触子６２の上側に配置されており、配電盤３１の固定枠１０両側側に干渉しない範囲で水平方向に伸長しており、この作業台車６０を接続位置に接続すると固定枠１０の一次側固定端子１０３Ａ（充電部側）と二次側固定端子１０３Ｂ（接地側）との間に挿入配置され、両者間を仕切り構成となっている。
【００２１】
この作業台車６０は、引出形遮断器５０と同様に配電盤３１の固定枠１０内に出し入れする必要があるため、枠体６１のフレーム６６の両側には車輪７１が設けられている。また、第１移動位置である引き出し位置、いわゆる引出形遮断器５０の断路位置、および、第２移動位置である接続位置、いわゆる引出形遮断器５０の接続位置においてそれぞれ固定するために引出形遮断器５０と同様なインターロックピン７２を有しており、インターロックピン７２を操作するピン操作レバー７２ａが正面カバー体６３の前面に配置されている。なお、１００は配電盤３１のフレーム、１０１はそのフレーム１００に形成された穴、１０２は絶縁物を示す。
【００２２】
次に動作について説明する。図３はこの発明の実施の形態１による作業台車６０が配電盤３１の固定枠１０内の第１移動位置である引き出し位置、いわゆる引出形遮断器５０の断路位置に挿入された状態を示し、図４はこの発明の実施の形態１による作業台車６０が配電盤３１の固定枠１０内の第２移動位置である接続位置、いわゆる引出形遮断器５０の接続位置に挿入された状態を示している。
【００２３】
作業台車６０を配電盤３１の固定枠１０内に挿入すると、インターロックピン７２が押し上げられて正面カバー体６３の前面に配置されたピン操作レバー７２ａが上方向に移動し、第１移動位置である引き出し位置に到達すると、インターロックピン７２が床板１４に設けられた穴（図示せず）に落ちてピン操作レバー７２ａが下方向に移動し、第１移動位置である引き出し位置に到達したことが目視で確認することができる。この状態で、作業台車６０を押しても、引いても動かない状態となっている。
【００２４】
そして、第１移動位置である引き出し位置において、ピン操作レバー７２ａを上方向に移動させてインターロックピン７２を持ち上げ、作業台車６０の正面カバー体６３に取り付けている取手７３を持って作業台車６０を押し込むと作業台車６０はさらに奥に移動する。第２移動位置である接続位置までの移動中は、インターロックピン７２は上に押し上げられた状態であるとともに、ピン操作レバー７２ａも上方向に移動している状態であり、第２移動位置である接続位置に到達していないことが目視で確認することができる。
【００２５】
さらに、作業台車６０を車輪ストッパ（図示せず）に車輪３９が当たるまで押し込むと、インターロックピン７２が床板１４に設けられた穴（図示せず）に落ちてピン操作レバー７２ａが下方向に移動し、第２移動位置である接続位置に到達したことが目視で確認することができる。このように作業台車６０を第２移動位置である接続位置に移動したことにより、可動接触子６２が配電盤３１の固定端子の例えば二次側固定端子１０３Ｂと接続される。
【００２６】
以上のように、作業台車６０を配電盤３１の固定枠１０に挿入させることにより、例えば二次側固定端子１０３Ｂと接続された可動接触子６２、可動導体６４を短絡導体６５で短絡させ、この短絡導体６５は接地線体６８により接地シュー６７に接続され、この接地シュー６７が配電盤３１の固定枠１０の床板１４に接触することにより接地することができる。したがって、上述した従来構成のように、クリップなどをつないで接地をとっている場合には作業中にクリップが外れ、接地されていない状態が発生する可能性があるものに対し、この実施の形態１においてはクリップを使用した接地構成ではなく上述した従来構成のような接地されていない状態が発生することは全くなく、信頼性の高い作業台車６０を得ることができる。
【００２７】
また、作業台車６０の枠体６１に設けた仕切り板６９によって、作業台車６０を第２接続位置である接続位置に接続すると、仕切り板６９は固定枠１０の一次側固定端子１０３Ａ（充電部側）と二次側固定端子１０３Ｂ（接地側）との間に挿入配置され、両者間を仕切切ることができ、点検用具や作業用具などが充電部である一次側固定端子１０３Ａへの接近を充分に防止することができ、信頼性の高い作業台車６０を得ることができる。
【００２８】
ところで、点検や改修などの作業が終了し、作業台車６０を配電盤３１の固定枠１０内から引き出す場合は、ピン操作レバー７２ａを上方向に移動させることにより、インターロックピン７２が上に押し上げ、取手７３を持って作業台車６０を引き出す。第２移動位置である接続位置から第１移動位置である引き出し位置に引き出されると、インターロックピン７２が床板１４に設けられた穴（図示せず）に落ちてピン操作レバー７２ａが下方向に移動し、第１移動位置である引き出し位置に到達したことが目視で確認することができる。
【００２９】
さらに、ピン操作レバー７２ａを上方向に移動させることにより、インターロックピン７２が上に押し上げ、取手７３を持って作業台車６０を第１移動位置である引き出し位置から配電盤３１の前面側に引き出した後、作業台車６０を配電盤３１から引き出すことになる。作業台車６０を配電盤３１から引き出した後は、引出形遮断器５０が配電盤３１内に挿入されることになる。
【００３０】
実施の形態２.
この発明の実施の形態２を図５および図６に基づいて説明する。図５はこの発明の実施の形態２に係わる配電盤の作業台車を示す正面図である。図６はこの発明の実施の形態２に係わる配電盤の作業台車を断面で示す側面図である。
【００３１】
これら各図において、６０は作業台車、６１は枠体、６２は可動接触子、６３は正面カバー体、６４は可動導体、６５は短絡導体、６６はフレーム、６７は接地シュー、６９は仕切り板、７０は碍子、７１は車輪、７２はインターロックピン、７２ａはピン操作レバー、７３は取手であり、上述した実施の形態１と同様の構成である。
【００３２】
７４は一方側が短絡導体６５に接続され、例えば他方側が枠体６１のフレーム６６に固定されている接地シュー６７との間をつないで接地する例えば電線または導体から構成される接地線体であり、この実施の形態２においては、接地線体７４の他方側端部７４ａが正面カバー体６３の前面側に突出して配置している。
【００３３】
次に動作について説明する。この実施の形態２においても、上述した実施の形態１と同様に、作業台車６０を配電盤３１の固定枠１０内に挿入すると、インターロックピン７２が押し上げられて正面カバー体６３の前面に配置されたピン操作レバー７２ａが上方向に移動し、第１移動位置である引き出し位置に到達すると、インターロックピン７２が床板１４に設けられた穴（図示せず）に落ちてピン操作レバー７２ａが下方向に移動し、第１移動位置である引き出し位置に到達したことが目視で確認することができる。この状態で、作業台車６０を押しても、引いても動かない状態となる。
【００３４】
そして、第１移動位置である引き出し位置において、ピン操作レバー７２ａを上方向に移動させてインターロックピン７２を持ち上げ、作業台車６０の正面カバー体６３に取り付けている取手７３を持って作業台車６０を押し込むと作業台車６０はさらに奥に移動する。第２移動位置である接続位置までの移動中は、インターロックピン７２は上に押し上げられた状態であるとともに、ピン操作レバー７２ａも上方向に移動している状態であり、第２移動位置である接続位置に到達していないことが目視で確認することができる。
【００３５】
さらに、作業台車６０を車輪ストッパ（図示せず）に車輪３９が当たるまで押し込むと、インターロックピン７２が床板１４に設けられた穴（図示せず）に落ちてピン操作レバー７２ａが下方向に移動し、第２移動位置である接続位置に到達したことが目視で確認することができる。このように作業台車６０を第２移動位置である接続位置に移動したことにより、可動接触子６２が配電盤３１の固定端子の例えば二次側固定端子１０３Ｂと接続される。
【００３６】
以上のように、作業台車６０を配電盤３１の固定枠１０に挿入させることにより、例えば二次側固定端子１０３Ｂと接続された可動接触子６２、可動導体６４を短絡導体６５で短絡させ、この短絡導体６５は接地線体７４により接地シュー６７に接続され、この接地シュー６７が配電盤３１の固定枠１０の床板１４に接触することにより接地することができる。
【００３７】
さらに、接地線体７４の他方側端部７４ａは、正面カバー体６３の前面側に突出して配置しており、この突出した接地線体７４の他方側端部７４ａを図示しない接地線の一方側を接続するとともにその接地線の他方側を例えば図９に示す配電盤３１の接地導体４４に接続することにより接地することができる。
【００３８】
このように、正面カバー体６３の前面側に突出して配置した接地線体７４の他方側端部７４ａを利用して、図示しない接地線により接地線体７４の他方側端部７４ａと配電盤３１の接地導体４４とを接続して接地することにより、確実に接地されていることを目視により確認することができる。また、接地シュー６７と床板１４との接触不十分な状態が発生したとしても、図示しない接地線により接地線体７４の他方側端部７４ａと配電盤３１の接地導体４４とを接続して接地しており、確実な接地状態を維持することができ、上述した実施の形態１よりもさらに信頼性の高い作業台車６０を得ることができる。
【００３９】
上述した実施の形態２においては、接地シュー６７を設けた場合について述べたが、接地シュー６７は必ず設ける必要はない。
【００４０】
また、作業台車６０の枠体６１に設けた仕切り板６９によって、作業台車６０を第２接続位置である接続位置に接続すると、仕切り板６９は固定枠１０の一次側固定端子１０３Ａ（充電部側）と二次側固定端子１０３Ｂ（接地側）との間に挿入配置され、両者間を仕切切ることができ、点検用具や作業用具などが充電部である一次側固定端子１０３Ａへの接近を充分に防止することができ、信頼性の高い作業台車６０を得ることができる。
【００４１】
ところで、点検や改修などの作業が終了し、作業台車６０を配電盤３１の固定枠１０内から引き出す場合は、ピン操作レバー７２ａを上方向に移動させることにより、インターロックピン７２が上に押し上げ、取手７３を持って作業台車６０を引き出す。第２移動位置である接続位置から第１移動位置である引き出し位置に引き出されると、インターロックピン７２が床板１４に設けられた穴（図示せず）に落ちてピン操作レバー７２ａが下方向に移動し、第１移動位置である引き出し位置に到達したことが目視で確認することができる。
【００４２】
さらに、ピン操作レバー７２ａを上方向に移動させることにより、インターロックピン７２が上に押し上げ、取手７３を持って作業台車６０を第１移動位置である引き出し位置から配電盤３１の前面側に引き出した後、作業台車６０を配電盤３１から引き出すことになる。作業台車６０を配電盤３１から引き出した後は、引出形遮断器５０が配電盤３１内に挿入されることになる。
【００４３】
ところで、上述した各実施の形態における作業台車と引出形遮断器を入れ替えることができる配電盤が得られることは勿論のことである。
【産業上の利用可能性】
【００４４】
この発明は、例えば引出形遮断器のような引出形機器を収納してある配電盤の内部の主回路部（外線ケーブル部）点検や改修などの作業を実施するときに、それにつながる主回路導体を確実に接地することができ、点検用具や作業用具などが充電部への接近を防止して配電盤内での作業を実施することができる配電盤の作業台車の実現に好適である。
【符号の説明】
【００４５】
３１  配電盤                          ６０  作業台車
６１  枠体                            ６２  可動接触子
６３  正面カバー体                    ６４  可動導体
６５  短絡導体                        ６６  フレーム
６７  接地シュー                      ６８  接地線体
６９  仕切り板                        ７４  接地線体
【図１】
2011078273.tif 000003
【図２】
2011078273.tif 000004
【図３】
2011078273.tif 000005
【図４】
2011078273.tif 000006
【図５】
2011078273.tif 000007
【図６】
2011078273.tif 000008
【図７】
2011078273.tif 000009
【図８】
2011078273.tif 000010
【図９】
2011078273.tif 000011
【図１０】
2011078273.tif 000012